(57)【要約】【課題】断熱性と、壁内通気量とを両立して確保できる建物の通気構造を提供すること。【解決手段】壁枠組２に第一の外面材３と内面材４とが取着された壁１を有し、前記壁１内に断熱材５が設けられ、前記第一の外面材３と断熱材５の間に空気流通路Ｒ１が形成された建物の通気構造であって、壁枠組２の少なくとも縦枠２３は日本農林規格で規定する寸法型式２０６材以上の規格材で形成され、第一の外面材３と内面材４が前記規格材の幅寸法で隔てられている。【選択図】　　　　図１
2004068496.tif 000002
【特許請求の範囲】
【請求項１】
上枠、下枠及び縦枠が組まれて形成された壁枠組に外面材と内面材とが取着された壁を有し、前記壁内に断熱材が設けられ、前記壁の外面材と断熱材の間に空気流通路が形成された建物の通気構造であって、前記壁枠組の少なくとも縦枠は日本農林規格で規定する寸法型式２０６材、２０８材、２１０材、２１２材のいずれかの規格材で形成され、外面材と内面材が前記規格材の幅寸法で隔てられていることを特徴とする建物の通気構造。
【請求項２】
上枠、下枠及び縦枠が組まれて形成された壁枠組に第一の外面材と内面材とが取着された壁を有し、前記壁内に断熱材が設けられ、前記壁の第一の外面材と断熱材の間に第一の空気流通路が形成された建物の通気構造であって、前記壁の屋外側に第二の空気流通路を形成して第二の外面材が設けられ、前記壁枠組の少なくとも縦枠は日本農林規格で規定する寸法型式２０６材、２０８材、２１０材、２１２材のいずれかの規格材で形成され、第一の外面材と内面材が前記規格材の幅寸法で隔てられていることを特徴とする建物の通気構造。
【請求項３】
前記第二の空気流通路の屋内側に透湿防水シートを配設したことを特徴とする請求項２に記載の建物の通気構造。
【請求項４】
壁内に空気流通路が形成され、この空気流通路に火災時の延焼防止のファイヤーストップが設けられた建物の通気構造であって、前記ファイヤーストップが火災時に空気流通路を塞ぐ方向に向けてその体積が膨張する熱膨張性耐火材料からなることを特徴とする建物の通気構造。
【請求項５】
壁内に空気流通路が形成され、この空気流通路に火災時の延焼防止のファイヤーストップが設けられた建物の通気構造であって、前記ファイヤーストップが上下階の外壁境界部に設けられる幕板の受け具を有していることを特徴とする建物の通気構造。
【発明の詳細な説明】
【０００１】
【発明の属する技術分野】
この発明は建物の通気構造に関する。
【０００２】
【従来の技術】
外面材と内面材との間に空気流通路が形成された壁を備えた建物が知られている。この建物は、夏季においては、外気がその空気流通路を上方に流れて循環できるので、建物全体の放熱性能の向上が図られる利点があり、また、冬季においては、小屋裏側の暖気が空気流通路を下方に流れて循環できるので、建物全体の換気性能の向上が図られると共に、壁内での結露の発生が防止される等の利点があり、四季を通じて居住環境の向上を図ることができる。
【０００３】
ところで、建物の壁を二重壁構造にすることにより、さらに居住環境を向上させる通気構造として、例えば特開２０００−３０３５７９号公報に記載されているような通気構造が知られている。
上記公報記載の建物においては、壁枠組の内側に内面材を、外側に第一の外面材をそれぞれ取着し、これらの間に断熱材を介装して、第一の空気流通路を形成し、さらに第一の外面材の外側に接続片を介して第二の外面材を取着し、この第一と第二の外面材の間に第二の空気流通路を形成している。
【０００４】
【発明が解決しようとする課題】
上記公報に記載されているような壁内に空気流通路を形成した建物において、壁枠組には日本農林規格で規定する寸法形式２０４材が多用されてきた。この寸法型式２０４材は厚さ３８ｍｍ、幅８９ｍｍのものであった。このため、最近の住宅等には高断熱の要求が高まり、２０４材を使用した壁枠組みで厚みの大きい断熱材、例えば厚さ１００ｍｍのグラスウールを押さえつけて使用すると、壁内の空気流通路が狭くなったり、なくなったり、断熱性と壁内通気量の両立は困難であるという問題があった。
【０００５】
また、壁内に空気流通路が形成される建物において、その空気流通路に設けられる従来のファイヤーストップは空気の流通抵抗が大きいので、空気の流通を阻害するという問題があった。
【０００６】
さらにまた、壁内に空気流通路が形成された建物において、上下階の外壁境界部にファイヤーストップを設け、外壁境界部を幕板で覆うものにおいては、ファイヤーストップに幕板の受け具を取り付け、この受け具に幕板を取りつけていたので、部品点数が多く施工の工数もかかるという問題があった。
【０００７】
そこで本発明は上記諸問題を解決するためになされたものであって、断熱性と、壁内通気量とを両立して確保できる建物の通気構造を提供することを第一目的とする。
【０００８】
また本発明は、空気の流通を阻害しないファイヤーストップが設けられた建物の通気構造を提供することを第二の目的とし、さらにまた幕板の取り付けが容易で部品点数を削減できる建物の通気構造を提供することを第３の目的とする。
【０００９】
【課題を解決するための手段】
請求項１記載の発明の建物の通気構造は、上枠、下枠及び縦枠が組まれて形成された壁枠組に外面材と内面材とが取着された壁を有し、前記壁内に断熱材が設けられ、前記壁の外面材と断熱材の間に空気流通路が形成された建物の通気構造であって、前記壁枠組の少なくとも縦枠は日本農林規格で規定する寸法形式２０６材、２０８材、２１０材、２１２材のいずれかの規格材で形成され、外面材と内面材が前記規格材の幅寸法で隔てられていることを特徴としている。
【００１０】
上記日本農林規格で規定する寸法形式２０６材は厚さ３８ｍｍ、幅１４０ｍｍであり、寸法形式２０８材は厚さ３８ｍｍ、幅１８４ｍｍであり、寸法形式２１０材は厚さ３８ｍｍ、幅２３５ｍｍであり、寸法形式２１２材は厚さ３８ｍｍ、幅２８６ｍｍである。
請求項２記載の発明の建物の通気構造は、上枠、下枠及び縦枠が組まれて形成された壁枠組に第一の外面材と内面材とが取着された壁を有し、前記壁内に断熱材が設けられ、前記壁の第一の外面材と断熱材の間に第一の空気流通路が形成された建物の通気構造であって、前記壁の屋外側に第二の空気流通路を形成して第二の外面材が設けられ、前記壁枠組の少なくとも縦枠は日本農林規格で規定する寸法形式２０６材、２０８材、２１０材、２１２材のいずれかの規格材で形成され、第一の外面材と内面材が前記規格材の幅寸法で隔てられていることを特徴としている。
【００１１】
請求項３記載の発明の建物の通気構造は前記第二の空気流通路の屋内側に透湿防水シートを配設したことを特徴とする請求項２に記載の通気構造である。
【００１２】
請求項４記載の発明の建物の通気構造は壁内に空気流通路が形成され、この空気流通路に火災時の延焼防止のファイヤーストップが設けられた建物であって、前記ファイヤーストップが火災時に空気流通路を塞ぐ方向に向けてその体積が膨張する熱膨張性耐火材料からなることを特徴としている。
【００１３】
請求項５記載の発明の建物の通気構造は壁内に空気流通路が形成され、この空気流通路に火災時の延焼防止のファイヤーストップが設けられた建物であって、ファイヤーストップが上下階の外壁境界部に設けられる幕板の受け具を有していることを特徴とする。
【００１４】
（作用）　この発明の請求項１記載の建物の通気構造においては、壁枠組の少なくとも縦枠は日本農林規格で規定する寸法形式２０６材、２０８材、２１０材、２１２材のいずれかの規格材で形成され、外面材と内面材が規格材の幅寸法で隔てられているので、外面材と内面材の間隔が１４０ｍｍ以上確保でき、厚さ１００ｍｍの断熱材を使用しても、外面材と内面材との間の空気流通路を流れる通気量を十分に確保できる。その結果、高断熱性と高通気性を両立できる。
【００１５】
この発明の請求項２記載の建物の通気構造においては、前記壁の第一の外面材と断熱材の間に第一の空気流通路が形成される建物の通気構造であって、前記壁の屋外側に第二の空気流通路を形成して第二の外面材が設けられ、前記壁枠組の少なくとも縦枠は日本農林規格で規定する寸法形式２０６材、２０８材、２１０材、２１２材のいずれかの規格材で形成され、第一の外面材と内面材が前記規格材の幅寸法で隔てられているので、請求項１記載の作用効果に加えて通気性能がさらに向上し、放熱、除湿結露防止などが優れたものになる。
【００１６】
この発明の請求項３記載の発明の建物の通気構造は、さらに、第二の空気流通路の屋内側に透湿防水シートを配設しているので、屋外からの雨水の浸入を防ぎ、壁内にたまった湿気は外に排出することができ、結露の発生がより確実に防がれる。
【００１７】
この発明の請求項４記載の建物の通気構造においては、ファイヤーストップが火災時に空気流通路を塞ぐ方向に向けてその体積が膨張する熱膨張性耐火材料からなるので、非火災時には壁内の空気の流通を阻害しない。このため、壁内の通気量が十分確保できる。そして、火災時にはファイヤーストップが空気流通路を塞ぎ、延焼を確実に防止する。
【００１８】
この発明の請求項５記載の建物の通気構造においては、ファイヤーストップが上下階の外壁境界部に設けられる幕板の受け具を有しているので、幕板を取りつけるときの工数と、部品点数が削減できる。
【００１９】
【発明の実施の形態】
次に、この発明の実施の形態を図面を参照しながら説明する。
【００２０】
（実施の形態１）
図１はこの発明の実施の形態１に係る建物の通気構造の縦断面図であり、上階と下階の境界線を示している。図２は図１のＡ−Ａ線における断面図である。
図１において、１は下階壁、２は壁枠組、３は第一の外面材、４は内面材、５は断熱材、Ｒ１は第一の空気流通路である。
【００２１】
建物は、上下に載置された建物ユニットによって構築されたユニット建物である。その建物ユニットは、床パネル７の周縁に壁１Ａ（壁パネル）を立設した壁式工法によるものである。
床パネル７は床枠組７１に床面材７２を張設して構成されている。上階の床枠組７１の下方にはつなぎ材８が設けられ下階の壁枠組２の上に載置され、ボルト等で締結される。
【００２２】
本実施の形態１は上記建物の通気構造であって、壁枠組２に第１の外面材３と内面材４とが取着された下階壁１と、壁枠組２Ａに第一の外面材３Ａと内面材４Ａとが取着された上階壁１Ａとを有している。
上記下階壁１の壁枠組２は、上枠２１、下枠２２（不図示）、縦枠２３（図２参照）が組まれて形成されている。また上記上階壁１Ａは上枠２１Ａ（不図示）、下枠２２Ａ、縦枠２３Ａ（不図示）が組まれて形成されている。
第一の外面材３、３Ａは厚さ９ｍｍの繊維強化無機複層板（例えば大建工業（株）商品名ダイライト）でなり、内面材４、４Ａは厚さ１２．５ｍｍの防湿石膏ボードからなる。
上記下階壁１、上階壁１Ａ内には厚さ１３０ｍｍのグラスウール製の断熱材５、５Ａが設けられている。
【００２３】
第一の外面材３と断熱材５との間、および第１の外面材３Ａと断熱材５Ａとの間には上下階に連通する第一の空気流通路Ｒ１が形成されている。このため、上枠２１、つなぎ材８、床枠組７１、下枠２２Ａには、連続した通孔が形成されている。この通孔は、壁厚方向の寸法×水平方向の寸法が１０×５０ｍｍ程度で、水平方向に２２５ｍｍ間隔で配置されている。
上記下階壁１、上階壁１Ａの屋外側には、厚さ１７ｍｍのスペーサー１１（図２参照）を介在させ、第二の空気流通路Ｒ２を形成して第二の外面材６、６Ａが設けられている。この第二の外面材６、６Ａはいずれも、塗装硬質木片セメント版で形成されている。
【００２４】
前記上枠２１、２１Ａ、下枠２２、２２Ａ、縦枠２３、２３Ａは、いずれも、日本農林規格で規定する２０６材で形成され、第一の外面材３と内面材４（第一の外面材３Ａと内面材４Ａも同じ）は２０６材の幅寸法（１４０ｍｍ）で隔てられている。
上記第二の空気流通路Ｒ２の屋内側には、透湿防水シート９が配設されている。
透湿防水シート９には、空気は通すが水は通さない微多孔膜（デュポン社の商品名タイベック）が好適に使用される。
また上下階の第二の外面材６、６Ａの境界部には幕板１０が設けられている。
【００２５】
（実施の形態１の作用）
本実施の形態１の建物の通気構造においては、下階壁１の壁枠組２が日本農林規格で規定する寸法型式２０６材の規格材で形成され、第一の外面材３と内面材４が規格材の幅寸法で隔てられているので、第一の外面材３と内面材４の間隔が１４０ｍｍとなり、厚さ１３０ｍｍの断熱材を使用しても、第一の外面材３と内面材４との間の第一の空気流通路Ｒ１を流れる通気量を十分に確保できる。
その結果、高断熱性と高通気性を両立できる。上階壁１Ａについても同様である。
【００２６】
そして、前記上、下階壁１、１Ａの屋外側に第二の空気流通路Ｒ２を形成して、第二の外面材６、６Ａが設けられているので、さらに通気性能が向上する。
さらに第一、第二の空気流通路Ｒ１、Ｒ２はいずれも上下階に連通しているので、一層通気性能が向上する。
【００２７】
さらに、第二の空気流通路Ｒ２の屋内側に透湿防水シート９を配設しているので、屋外からの雨水の浸入を防ぎ、上階壁１Ａ、下階壁１内にたまった湿気は第一の外面材３、３Ａの隙間等から透湿防水シート９を通って、外に排出することができ、結露の発生がより確実に防がれる。
【００２８】
（実施の形態２）
次にこの発明の実施の形態２を図３に基づいて説明する。
図３（イ）はファイヤーストップの斜視図、（ロ）はこれを取りつけた壁の断面図、（ハ）は火災時の状態を示す壁の断面図である。
本実施の形態２の建物の通気構造は、第二の外面材６Ｂと第一の外面材３Ｂとが取着された外壁１Ｂ内に空気流通路Ｒが形成され、この空気流通路Ｒに火災時の延焼防止のファイヤーストップ２０が設けられたものである。この第一の外面材３Ｂの内側には、壁枠組と内面材が設けられている。
上記ファイヤーストップ２０は、断面コ字形の長尺形材で形成された取付材２１の中に収納されており、図３（ハ）に示すように、火災時に空気流通路Ｒを塞ぐ方向に向けてその体積が膨張する熱膨張性耐火材料からなる。上記熱膨張性耐火材料として、例えばクロロプレンゴムとバーミキュライトを含有する樹脂組成物からなるシート材料（３Ｍ社：商品名　ファイアバリア）や、ポリウレタン樹脂と熱膨張性黒鉛を含有する樹脂組成物からなるシート材料（三井金属塗料社：商品名　メジヒカット）等が好適に使用される。
【００２９】
（実施の形態２の作用）
本実施の形態２の建物の通気構造においては、ファイヤーストップ２０が火災時に空気流通路Ｒを塞ぐ方向に向けてその体積が膨張する熱膨張性耐火材料からなるので、非火災時には壁１Ｂ内の空気の流通を阻害しない。このため、壁内の通気量が十分確保できる。そして火災時には、図３（ハ）に示すように、ファイヤーストップ２０が膨張して空気流通路Ｒを塞ぎ、火災の延焼を確実に防止する。
【００３０】
（実施の形態３）
この発明の実施の形態３を図４に基づいて説明する。
図４（イ）はファイヤーストップの斜視図、（ロ）はこれを取りつけた外壁の断面図である。
本実施の形態３の建物の通気構造は、上、下階の外壁１Ｃ、１Ｄ内に空気流通路Ｒが形成され、この空気流通路Ｒに火災時の延焼防止のファイヤーストップ３０が設けられたものである。
【００３１】
下階の外壁１Ｃは、第二の外面材６Ｃと第一の外面材３Ｃとを取着して構成され、上階の外壁１Ｄは第二の外面材６Ｄと第一の外面材３Ｄとを取着して構成されている。これら第一の外面材３Ｃ、３Ｄの内側には壁枠組みと内面材が設けられている。
上記ファイヤーストップ３０は、図４（イ）に示すように、断面略ハット形状の長尺のファイヤーストップ本体３１と、この本体３１の上面（取りつけ時には垂直面となる）に突設された幕板１０の受け具３５とからなる。本体３１の斜面３２には上下階の空気流通路Ｒ、Ｒを連通させる通気孔３３が形成されている。
【００３２】
上記ファイヤーストップ３０は、図４（ロ）に示すように、上面３４を垂直方向に向けて、上下階外壁１Ｃ、１Ｄの境界部に設けられる。具体的にはファイヤーストップ本体３１を第一の外面材３Ｃ、３Ｄの境界部に取りつけ、受け具３５を第二の外面材６Ｃ、６Ｄの境界部から外方に向けて水平に突き出させ、この受け具３５の突出部に幕板１０を嵌着させる。
【００３３】
（実施の形態３の作用）
本実施の形態３の建物の通気構造においては、ファイヤーストップ３０が上、下階の外壁１Ｃ、１Ｄの境界部に設けられる幕板１０の受け具３５を有しているので、幕板１０を取りつけるときの工数と、部品点数が削減できる。
【００３４】
以上本発明の実施の形態を説明したが、本発明は上記実施の形態１〜３に限られるものでなく、本発明の要旨を変更しない範囲の設計変更等があっても本発明に含まれる。
【発明の効果】
この発明の請求項１、２記載の建物の通気構造によると、高断熱性と高通気性を両立できる。
【００３５】
この発明の請求項３記載の建物の通気構造によると、さらに、屋外からの雨水の浸入を防ぐと共に、壁内の結露の発生がより確実に防がれる。
【００３６】
この発明の請求項４記載の建物の通気構造によると、壁内の通気量が十分確保できる。
【００３７】
この発明の請求項５記載の建物の通気構造によると、幕板を取りつけるときの工数と、部品点数が削減できる。
【図面の簡単な説明】
【図１】この発明の実施の形態１であって、建物の通気構造の縦断面図である。
【図２】図１のＡーＡ線における断面図である。
【図３】この発明の実施形態２であって、（イ）はファイヤーストップの斜視図、　（ロ）はファイヤーストップを取り付けた壁の断面図、（ハ）は火災時の状態を示す壁の断面図である。
【図４】この発明の実施形態３であって、（イ）はファイヤーストップの斜視図、　（ロ）はファイヤーストップを取りつけた外壁の断面図である。
【符号の説明】
１、１Ａ　　　　　　　壁（下階壁、上階壁）
２、２Ａ　　　　　　　壁枠組
２３　　　　　　　　　縦枠
３、３Ａ、３Ｂ、３Ｃ　第一の外面材
４、４Ａ　　　　　　　内面材
５、５Ａ　　　　　　　断熱材
６、６Ａ、６Ｂ、６Ｃ　第二の外面材
Ｒ１　　　　　　　　　第一の空気流通路
Ｒ２　　　　　　　　　第二の空気流通路
９　　　　　　　　　　透湿性防水シート
１Ｂ、１Ｃ、１Ｄ　　　壁
Ｒ　　　　　　　　　　空気流通路
１０　　　　　　　　　幕板
２０、３０　　　　　　ファイヤーストップ
３５　　　　　　　　　受け具
【図１】
2004068496.tif 000003
【図２】
2004068496.tif 000004
【図３】
2004068496.tif 000005
【図４】
2004068496.tif 000006